(57)【要約】【課題】加熱された包装体を把持するときに使用者が不快感を覚えることを抑制できる包装体を提供する。【解決手段】包装体は、トレー１００および外装袋１０を有する。トレー１００は、内容物を収容する収容部を有する。外装袋１０は、トレー１００を収容する袋内空間２１、袋外方シール部５０、および山折部分４１を有する。袋外方シール部５０は、外装袋１０の縁に形成されている。袋外方シール部５０は、外装袋１０の一部と別の一部とが互いにシールされていることにより袋内空間２１を閉じる構造を有する。山折部分４１は、外装袋１０が折り返されることにより形成されている。袋外方シール部５０は、第３把持シール部５３を有する。第３把持シール部５３は、外装袋１０の山折部分４１が互いにシールされることにより形成されている。【選択図】図２
2014208538.tif 000002
【特許請求の範囲】
【請求項１】
包装体であって、
前記包装体は、トレーおよび外装袋を有し、
前記トレーは、内容物を収容する収容部を有し、
前記外装袋は、前記トレーを収容する袋内空間、袋外方シール部、および山折部分を有し、
前記袋外方シール部は、前記外装袋の縁に形成され、前記外装袋の一部と別の一部とが互いにシールされていることにより前記袋内空間を閉じる構造を有し、把持シール部を有し、
前記山折部分は、前記外装袋が折り返されることにより形成され、
前記把持シール部は、前記外装袋の前記山折部分が互いにシールされることにより形成されている
包装体。
【請求項２】
前記外装袋は、前記山折部分の折り返しの方向と反対の方向に折り返された谷折部分を有し、
前記谷折部分は、前記山折部分よりも前記外装袋の前方に形成されている
請求項１に記載の包装体。
【請求項３】
前記外装袋は、袋本体部および把持形成部を有し、
前記袋本体部は、前記袋内空間を形成し、前記把持形成部と連続して形成され、
前記把持形成部は、前記山折部分および前記谷折部分を有し、
前記袋外方シール部は、山折部分側方シール部、谷折部分側方シール部、および本体シール部を有し、
前記山折部分側方シール部は、前記山折部分の側方部分をシールし、前記谷折部分側方シール部および前記本体シール部と連続して形成され、
前記谷折部分側方シール部は、前記谷折部分の側方部分をシールし、前記山折部分側方シール部および前記本体シール部と連続して形成され、
前記本体シール部は、前記山折部分側方シール部および前記谷折部分側方シール部と連続して形成されている
請求項２に記載の包装体。
【請求項４】
前記包装体は、内シール部を有し、
前記トレーは、トレーシール部を有し、
前記収容部は、内容物を収容する収容空間、および開口部を有し、
前記トレーシール部は、前記収容部と連続して形成され、
前記外装袋は、袋内方シール部を有し、
前記内シール部は、前記トレーシール部の少なくとも一部が前記袋内方シール部と互いにシールされることにより形成され、
前記開口部は、前記内シール部が形成されていることにより、前記外装袋により閉じられている
請求項１〜３のいずれか一項に記載の包装体。
【請求項５】
前記トレーシール部は、前記収容部の全周または一部に形成されている
請求項４に記載の包装体。
【請求項６】
前記内シール部は、前記袋外方シール部よりもシール強度が低い
請求項４または５に記載の包装体。
【請求項７】
前記袋外方シール部は、通蒸シール部を有し、
前記通蒸シール部は、前記把持シール部よりもシール強度が低い
請求項１〜６のいずれか一項に記載の包装体。
【請求項８】
前記通蒸シール部は、通蒸促進部を有し、
前記通蒸促進部は、前記把持シール部よりもシール幅が小さい
請求項７に記載の包装体。
【請求項９】
前記包装体は、説明表示部を有し、
前記説明表示部は、前記外装袋のうち前記把持シール部が形成されている箇所、および前記把持シール部を把持する旨の少なくとも一方を表示している
請求項１〜８のいずれか一項に記載の包装体。
【請求項１０】
前記包装体および内容物を有し、
前記内容物は、前記収容部に収容されている
請求項１〜９のいずれか一項に記載の包装体。
【発明の詳細な説明】
【技術分野】
【０００１】
本発明は、トレーおよび外装袋を有する包装体に関する。
【背景技術】
【０００２】
特許文献１は、包装体の一例を開示している。
図１５および図１６は、特許文献１の包装体３００を示している。
包装体３００は、外装袋３１０およびトレー３２０を有する。
【０００３】
外装袋３１０は、袋本体部３１１および開封部３１２を有する。
袋本体部３１１は、開封部３１２と連続して形成されている。袋本体部３１１は、袋内空間３１１Ａを有している。袋本体部３１１は、袋内空間３１１Ａにトレー３２０を収容している。
【０００４】
開封部３１２は、袋本体部３１１と連続して形成されている。開封部３１２は、袋本体部３１１との分離が可能な構造を有する。開封部３１２は、袋本体部３１１から分離されることにより袋内空間３１１Ａを開放する。開封部３１２は、通蒸部３１２Ａを有する。通蒸部３１２Ａは、袋内空間３１１Ａで発生した蒸気を外部へ排出する機能を有する。トレー３２０は、内容物を収容する構造を有する。
【０００５】
包装体３００は、電子レンジにより加熱される。包装体３００は、袋内空間３１１Ａの内圧の上昇にともない、通蒸部３１２Ａのシールが剥離する。袋内空間３１１Ａで発生した蒸気は、通蒸部３１２Ａを介して外部へ排出される。包装体３００は、電子レンジで加熱された後、袋本体部３１１または開封部３１２が把持されて電子レンジから取り出される。包装体３００は、電子レンジから取り出された後、開封部３１２が袋本体部３１１から切り離される。トレー３２０は、開封部３１２が袋本体部３１１から切り離された後、内容物とともに袋内空間３１１Ａから取り出される。
【先行技術文献】
【特許文献】
【０００６】
【特許文献１】特開平１１−１３９４６５号公報
【発明の概要】
【発明が解決しようとする課題】
【０００７】
袋本体部３１１および開封部３１２は、電子レンジで加熱されることにより、高温となっていることがある。このため、使用者は、加熱後の包装体３００を把持するときに不快感を覚えるおそれがある。
【０００８】
本発明は、以上の背景をもとに創作されたものであり、加熱された包装体を把持するときに使用者が不快感を覚えることを抑制できる包装体を提供することを目的とする。
【課題を解決するための手段】
【０００９】
（１）本手段は、「包装体であって、前記包装体は、トレーおよび外装袋を有し、前記トレーは、内容物を収容する収容部を有し、前記外装袋は、前記トレーを収容する袋内空間、袋外方シール部、および山折部分を有し、前記袋外方シール部は、前記外装袋の縁に形成され、前記外装袋の一部と別の一部とが互いにシールされていることにより前記袋内空間を閉じる構造を有し、把持シール部を有し、前記山折部分は、前記外装袋が折り返されることにより形成され、前記把持シール部は、前記外装袋の前記山折部分が互いにシールされることにより形成されている包装体」を含む。
【００１０】
袋内空間の内圧が上昇したとき、包装体の縁のうち山折部分は、袋を形成するシートの縁どうしが互いにシールされた箇所よりも破れにくい。上記包装体の外装袋は、山折部分を有する。山折部分は、少なくとも一部に把持シール部が形成されている。このため、上記包装体は、電子レンジ等で加熱したときに破れにくい箇所、すなわち高温となりにくい箇所を把持することができる。このため、上記包装体は、加熱された包装体を把持するときに使用者が不快感を覚えることを抑制できる。
【００１１】
（２）上記手段の一形態は、「前記外装袋は、前記山折部分の折り返しの方向と反対の方向に折り返された谷折部分を有し、前記谷折部分は、前記山折部分よりも前記外装袋の前方に形成されている包装体」を含む。
【００１２】
上記包装体の外装袋は、谷折部分を有する。谷折部分は、山折部分よりも外装袋の前方に形成されている。このため、上記包装体は、前後方向の寸法が小さくなる。
（３）上記手段の一形態は、「前記外装袋は、袋本体部および把持形成部を有し、前記袋本体部は、前記袋内空間を形成し、前記把持形成部と連続して形成され、前記把持形成部は、前記山折部分および前記谷折部分を有し、前記袋外方シール部は、山折部分側方シール部、谷折部分側方シール部、および本体シール部を有し、前記山折部分側方シール部は、前記山折部分の側方部分をシールし、前記谷折部分側方シール部および前記本体シール部と連続して形成され、前記谷折部分側方シール部は、前記谷折部分の側方部分をシールし、前記山折部分側方シール部および前記本体シール部と連続して形成され、前記本体シール部は、前記山折部分側方シール部および前記谷折部分側方シール部と連続して形成されている包装体」を含む。
【００１３】
（４）上記手段の一形態は、「前記包装体は、内シール部を有し、前記トレーは、トレーシール部を有し、前記収容部は、内容物を収容する収容空間、および開口部を有し、
前記トレーシール部は、前記収容部と連続して形成され、前記外装袋は、袋内方シール部を有し、前記内シール部は、前記トレーシール部の少なくとも一部が前記袋内方シール部と互いにシールされることにより形成され、前記開口部は、前記内シール部が形成されていることにより、前記外装袋により閉じられている包装体」を含む。
【００１４】
上記包装体の開口部は、内シール部が形成されていることにより、外装袋により閉じられている。包装体のトレーは、外装袋の袋内空間に収容されている。すなわち、外装袋は、開口部を閉じる役割、およびトレーを包む役割を有する。このため、上記包装体は、開口部を閉じる蓋と、トレーを包む袋とが個別に形成される構造と比較して、包装体を構成する材料の数が削減される。このように、包装体は、トレーから内容物が漏れることを抑制し、かつ包装体を構成する材料の数を削減することができる。
【００１５】
（５）上記手段の一形態は、「前記トレーシール部は、前記収容部の全周または一部に形成されている包装体」を含む。
上記包装体のトレーシール部は、収容部の全周または一部に形成されている。このため、上記包装体の内シール部は、より大きなシール面積を有する。このため、上記包装体は、トレーから内容物が漏れることを抑制する効果が高められる。
【００１６】
（６）上記手段の一形態は、「前記内シール部のシール強度は、前記袋外方シール部のシール強度よりも低い包装体」を含む。
トレーは、一例として、水蒸気を発生する内容物を収容する。内容物は、加熱されることにより水蒸気を発生する。トレーは、水蒸気の発生により内圧が上昇する。袋内方シール部は、トレーの内圧の上昇によりトレーシール部から剥離する。袋内方シール部は、内シール部のシール強度が高くなるにつれてトレーシール部から剥離しにくくなる。一方、包装体は、袋内方シール部がトレーシール部から剥離するとき、音を発生することがある。この音は、袋内方シール部がトレーシール部から剥離するときのトレーの内圧が高いときほど大きくなる。
【００１７】
上記包装体の内シール部は、袋外方シール部よりも低いシール強度を有する。このため、内シール部が袋外方シール部よりも高いシール強度を有すると仮定した構成と比較して、袋内方シール部がトレーシール部から剥離するときの音が小さくなる。このため、上記包装体は、この音により使用者が不快感を覚えるおそれが低くなる。
【００１８】
（７）上記手段の一形態は、「前記袋外方シール部は、通蒸シール部を有し、前記通蒸シール部のシール強度は、前記把持シール部のシール強度よりも低い包装体」を含む。
上記包装体の袋外方シール部は、通蒸シール部を有する。通蒸シール部のシール強度は、把持シール部のシール強度よりも低い。このため、上記包装体は、加熱されることにより袋内空間の内圧が上昇したとき、通蒸シール部から蒸気を外部へ排出できる。
【００１９】
（８）上記手段の一形態は、「前記通蒸シール部は、通蒸促進部を有し、前記通蒸促進部は、前記袋本体側方シール部よりもシール幅が小さい包装体」を含む。
上記包装体は、通蒸シール部を有する。通蒸シール部は、通蒸促進部を有する。通蒸促進部は、把持シール部よりもシール幅が小さい。このため、上記包装体は、通蒸シール部のうち、より通蒸促進部のシールが剥離しやすくなる。このため、上記包装体は、袋内空間の内圧が上昇したときに、より適切に蒸気を排出することができる。
【００２０】
（９）上記手段の一形態は、「前記包装体は、説明表示部を有し、前記説明表示部は、前記外装袋のうち前記把持シール部が形成されている箇所、および前記把持シール部を把持する旨の少なくとも一方を表示している包装体」を含む。
【００２１】
通蒸シール部を介して袋内空間の蒸気が外部へ排出されたとき、通蒸シール部は高温となっていることがある。上記包装体は、説明表示部を有する。説明表示部は、外装袋のうち把持シール部が形成されている箇所、および把持シール部を把持する旨の少なくとも一方を表示している。このため、上記包装体は、使用者が誤って高温の通蒸シール部を把持することを抑制できる。
【００２２】
（１０）上記手段の一形態は、「前記包装体および内容物を有し、前記内容物は、前記収容空間に収容されている上記のいずれかに記載の包装体」を含む。
【発明の効果】
【００２３】
本包装体は、加熱された包装体を把持するときに使用者が不快感を覚えることを抑制できる。
【図面の簡単な説明】
【００２４】
【図１】実施形態の包装体の平面図。
【図２】実施形態の包装体の側面図。
【図３】実施形態の包装体に関する図であって、図１のＤ３−Ｄ３線において破断された包装体の断面図。
【図４】実施形態の包装体の平面図。
【図５】実施形態のトレーの平面図。
【図６】実施形態のトレーの側面図。
【図７】実施形態のトレーの底面図。
【図８】実施形態の包装体に関する図であって、トレーに内容物が収容された状態の包装体の平面図。
【図９】実施形態の包装体に関する図であって、内シール部が剥離した状態を示す包装体の平面図。
【図１０】実施形態の包装体に関する図であって、図９のＤ１０−Ｄ１０線において破断された包装体の断面図。
【図１１】実施形態の包装体に関する図であって、第２通蒸促進部が剥離した状態を示す包装体の平面図。
【図１２】実施形態の包装体に関する図であって、図１１のＤ１２−Ｄ１２線において破断された包装体の断面図。
【図１３】実施形態の包装体に関する図であって、開封部が袋本体部から分離されている最中の包装体の平面図。
【図１４】実施形態の包装体に関する図であって、袋本体部からトレーが取りだされている最中の包装体の平面図。
【図１５】従来の包装体の平面図。
【図１６】図１５のＤ１６−Ｄ１６線において破断された包装体の断面図。
【発明を実施するための形態】
【００２５】
図１〜図３を参照して、包装体１の構成について説明する。なお、図１、図４、図８、図９、図１１、図１３、および図１４に示されるドットは、包装体１の袋外方シール部５０および内シール部６０を示している。また、包装体１は、図４を除いて、説明表示部８０の図示が省略されている。
【００２６】
包装体１は、前後方向ＺＡ、幅方向ＺＢ、および上下方向ＺＣを規定している。
前後方向ＺＡは、包装体１の平面視において、前側および後側を規定する方向を示している。前後方向ＺＡは、前方向ＺＡ１および後方向ＺＡ２を有する。前方向ＺＡ１は、前後方向ＺＡにおいて、第１側方縁１５から第２側方縁１６に向かう方向を示している。後方向ＺＡ２は、前後方向ＺＡにおいて、第２側方縁１６から第１側方縁１５に向かう方向を示している。
【００２７】
幅方向ＺＢは、包装体１の平面視において、右側および左側を規定する方向を示している。幅方向ＺＢは、右方向ＺＢ１および左方向ＺＢ２を有する。右方向ＺＢ１は、幅方向ＺＢにおいて、下縁１８から上縁１７に向かう方向を示している。左方向ＺＢ２は、幅方向ＺＢにおいて、上縁１７から下縁１８に向かう方向を示している。
【００２８】
上下方向ＺＣは、包装体１の側面視において、上側および下側を規定している（図２参照）。上下方向ＺＣは、上方向ＺＣ１および下方向ＺＣ２を有する。上方向ＺＣ１は、上下方向ＺＣにおいて、底壁１４０からトレーシール部１６０に向かう方向を示している。下方向ＺＣ２は、上下方向ＺＣにおいて、トレーシール部１６０から底壁１４０に向かう方向を示している。
【００２９】
包装体１は、平面視において長方形状を有する。包装体１は、外装袋１０、袋外方シール部５０、内シール部６０、切断補助部７０、説明表示部８０（図４参照）、およびトレー１００を有する。
【００３０】
外装袋１０は、１枚の積層シートにより形成されている。積層シートは、最外層、中間層、および最内層（いずれの層も図示略）を有する。最外層は、ポリエチレンテレフタレート層により形成されている。
【００３１】
中間層は、最外層と最内層とを互いに接着させる機能を有する。中間層は、印刷層、第１接着層、低密度ポリエチレン層、および第２接着層により形成されている。印刷層は、最外層の内側に形成されている。印刷層は、外面に絵柄および商品の説明等、すなわち説明表示部８０（図４参照）を有する。第１接着層は、印刷層の内側に形成されている。低密度ポリエチレン層は、第１接着層の内側に形成されている。第２接着層は、低密度ポリエチレン層の内側に形成されている。
【００３２】
最内層は、第２接着層の内側に形成されている。最内層は、混合樹脂層により形成されている。混合樹脂層は、直鎖状低密度ポリエチレン、低密度ポリエチレン、およびポリブテン−１により形成されている。混合樹脂層は、直鎖状低密度ポリエチレンを２０重量％含んでいる。混合樹脂層は、低密度ポリエチレンを６０重量％含んでいる。混合樹脂層は、ポリブテン−１を２０重量％含んでいる。
【００３３】
外装袋１０は、第１角部１１、第２角部１２、第３角部１３、第４角部１４、第１側方縁１５、第２側方縁１６、上縁１７、下縁１８、袋本体部２０、開封部３０、および把持形成部４０を有する。
【００３４】
第１側方縁１５は、外装袋１０における第１角部１１から第３角部１３までの縁を形成している。第２側方縁１６は、外装袋１０における第２角部１２から第４角部１４までの縁を形成している。上縁１７は、外装袋１０において第１角部１１から第２角部１２までの縁を形成している。下縁１８は、外装袋１０において第３角部１３から第４角部１４までの縁を形成している。
【００３５】
第１側方縁１５および上縁１７は、第１角部１１において互いに連続している。第１側方縁１５および下縁１８は、第３角部１３において互いに連続している。第２側方縁１６および上縁１７は、第２角部１２において互いに連続している。第２側方縁１６および下縁１８は、第４角部１４において互いに連続している。
【００３６】
袋本体部２０は、切断補助部７０を介して開封部３０と連続して形成されている。袋本体部２０は、袋内空間２１および袋内方シール部２２を有する。袋本体部２０は、袋内空間２１においてトレー１００を収容している。袋内方シール部２２は、トレー１００のトレーシール部１６０（図３参照）とシールされることにより内シール部６０を形成している。
【００３７】
開封部３０は、切断補助部７０を介して袋本体部２０と連続して形成されている。開封部３０は、袋本体部２０との分離が可能な構造を有する。開封部３０は、袋本体部２０から分離されることにより、袋本体部２０の袋内空間２１を開放する機能を有する。
【００３８】
把持形成部４０は、袋本体部２０と連続して形成されている。把持形成部４０は、山折部分４１および谷折部分４２を有する。山折部分４１は、外装袋１０が前方向ＺＡ１に折り返されることに形成されている。谷折部分４２は、外装袋１０が後方向ＺＡ２に折り返されることにより形成されている。谷折部分４２は、山折部分４１よりも前方向ＺＡ１に形成されている。
【００３９】
袋外方シール部５０は、外装袋１０の縁に形成されている。袋外方シール部５０は、外装袋１０の一部と別の一部とが互いにシールされることにより形成されている。袋外方シール部５０は、外装袋１０の積層シートのうちの最内層同士を互いにシールしている。袋外方シール部５０は、第１把持シール部５１、第２把持シール部５２、第３把持シール部５３、および通蒸シール部５４を有する。
【００４０】
第１把持シール部５１は、２０Ｎ／１５ｍｍのシール強度を有する。第１把持シール部５１は、使用者により把持される部分として機能する。第１把持シール部５１は、下縁１８を含む部分をシールしている。
【００４１】
第１把持シール部５１は、本体シール部５１Ａ、山折部分側方シール部５１Ｂ、谷折部分側方シール部５１Ｃ、および連続部分５１Ｄを有する。
本体シール部５１Ａは、下縁１８のうち袋本体部２０に対応する部分をシールしている。本体シール部５１Ａは、第１シール幅ＸＡを有する。
【００４２】
山折部分側方シール部５１Ｂは、山折部分４１の側方をシールしている。山折部分側方シール部５１Ｂは、第１シール幅ＸＡと等しいシール幅を有する。
谷折部分側方シール部５１Ｃは、谷折部分４２の側方をシールしている。谷折部分側方シール部５１Ｃは、第１シール幅ＸＡと等しいシール幅を有する。本体シール部５１Ａ、山折部分側方シール部５１Ｂ、および谷折部分側方シール部５１Ｃは、連続部分５１Ｄにおいて互いに連続して形成されている。
【００４３】
第２把持シール部５２は、２０Ｎ／１５ｍｍのシール強度を有する。第２把持シール部５２は、使用者により把持される部分として機能する。第２把持シール部５２は、上縁１７を含む部分をシールしている。第２把持シール部５２は、第２シール幅ＸＢを有する。第２シール幅ＸＢは、第１シール幅ＸＡと等しい。なお、第２把持シール部５２は、第１把持シール部５１と同様の構成、すなわち、本体シール部５１Ａ、山折部分側方シール部５１Ｂ、谷折部分側方シール部５１Ｃ、および連続部分５１Ｄに相当する構成を有する（図示略）。
【００４４】
第３把持シール部５３は、２０Ｎ／１５ｍｍのシール強度を有する。第３把持シール部５３は、使用者により把持される部分として機能する。第３把持シール部５３は、第１側方縁１５を含む部分をシールしている。第３把持シール部５３は、山折部分４１の最内層が互いにシールされることにより形成されている。第３把持シール部５３は、第３シール幅ＸＣを有する。第３シール幅ＸＣは、第１シール幅ＸＡおよび第２シール幅ＸＢと等しい。
【００４５】
通蒸シール部５４は、１５Ｎ／１５ｍｍのシール強度を有する。通蒸シール部５４は、袋内空間２１で発生した蒸気を外部へ排出する機能を有する。通蒸シール部５４は、第４シール幅ＸＤを有する。第４シール幅ＸＤは、第１シール幅ＸＡ、第２シール幅ＸＢ、および第３シール幅ＸＣのシール幅と等しい。通蒸シール部５４は、第１通蒸促進部５４Ａ、第２通蒸促進部５４Ｂ、および第３通蒸促進部５４Ｃを有する。
【００４６】
第１通蒸促進部５４Ａは、第５シール幅ＸＥを有する。第５シール幅ＸＥは、第１シール幅ＸＡ〜第４シール幅ＸＤのいずれのシール幅よりも小さい。
第２通蒸促進部５４Ｂは、第６シール幅ＸＦを有する。第６シール幅ＸＦは、第１シール幅ＸＡ〜第４シール幅ＸＤのいずれのシール幅よりも小さい。
【００４７】
第３通蒸促進部５４Ｃは、第７シール幅ＸＧを有する。第７シール幅ＸＧは、第１シール幅ＸＡ〜第４シール幅ＸＤのいずれのシール幅よりも小さい。
内シール部６０は、トレーシール部１６０および袋内方シール部２２（ともに図３参照）が互いにシールされていることにより形成されている。内シール部６０は、６Ｎ／１５ｍｍのシール強度を有する。
【００４８】
切断補助部７０は、開封部３０が袋本体部２０から分離されることを補助する機能を有する。切断補助部７０は、ノッチ７１およびガイド線７２を有する。
ノッチ７１は、開封部３０が袋本体部２０から分離されるときの始点となる位置を規定している。ノッチ７１は、下縁１８のうち、袋本体部２０と開封部３０との境界部分に形成されている。ガイド線７２は、ノッチ７１から右方向ＺＢ１に延伸している。
【００４９】
トレー１００は、内容物を収容する形状を有する。
図４を参照して、説明表示部８０の構成について説明する。
説明表示部８０は、包装体１の使用方法等を含む様々な説明を表示している。説明表示部８０は、外装袋１０の印刷層にこれらの説明が印刷されることにより、包装体１の外観において視認できる構成を有する。説明表示部８０は、第１説明表示部８１、第２説明表示部８２、および第３説明表示部８３を有する。
【００５０】
第１説明表示部８１は、包装体１において、第１把持シール部５１、第２把持シール部５２、および第３把持シール部５３が形成されている箇所を表示している。第１説明表示部８１は、加熱された包装体１を把持するときに、第１把持シール部５１、第２把持シール部５２、および第３把持シール部５３の少なくとも一箇所を把持する旨の説明を表示している。第１説明表示部８１は、第１把持シール部５１、第２把持シール部５２、および第３把持シール部５３の近傍に表示されている。
【００５１】
第２説明表示部８２は、開封部３０が形成されている箇所を表示している。第２説明表示部８２は、包装体１の加熱後に開封部３０を袋本体部２０から分離する旨を表示している。
【００５２】
第３説明表示部８３は、内容物が収容された包装体１を電子レンジで加熱して使用する手順を表示している。
図５〜図７を参照して、トレー１００の構成について説明する。
【００５３】
トレー１００は、混合樹脂材料を真空成形することにより形成されている。混合樹脂材料は、ポリプロピレンおよびタルクを含んでいる。混合樹脂材料は、ポリプロピレンを７０重量％含んでいる。混合樹脂材料は、タルクを３０重量％含んでいる。
【００５４】
図５および図６に示されるように、トレー１００は、トレー本体部１１０および取手部１７０を有する。
トレー本体部１１０は、取手部１７０と同一の材料により一体的に形成されている。トレー本体部１１０は、収容部１２０およびトレーシール部１６０を有する。
【００５５】
収容部１２０は、内容物を収容する構造を有する。収容部１２０は、側壁１３０、底壁１４０、および収容空間１５０を有する。
側壁１３０は、底壁１４０およびトレーシール部１６０と連続して形成されている。
【００５６】
図３〜図５に示されるように、底壁１４０は、側壁１３０と連続して形成されている。底壁１４０は、底壁本体１４１、内側凹凸加工部１４２、および外側凹凸加工部１４３を有する。
【００５７】
底壁本体１４１は、収容空間１５０に配置された内容物を支持する機能を有する。
内側凹凸加工部１４２は、収容空間１５０に配置された内容物の滑り止めの機能を有する。内側凹凸加工部１４２は、底壁本体１４１の内周面の全体に形成されている。内側凹凸加工部１４２は、凸部１４２Ａを有する。凸部１４２Ａは、収容空間１５０に配置された内容物に水分および油分が付着することを抑制する。凸部１４２Ａは、底壁本体１４１から上方向ＺＣ１に突出している。
【００５８】
外側凹凸加工部１４３は、外装袋１０からトレー１００が取り出されるときに、水分により外装袋１０とトレー１００とが密着することを抑制する機能を有する。外側凹凸加工部１４３は、底壁本体１４１の外周面に形成されている。外側凹凸加工部１４３は、凹部１４３Ａを有する。凹部１４３Ａは、底壁本体１４１の外周面の一部を収容空間１５０側に押し出すことにより形成されている。
【００５９】
収容空間１５０は、内容物を収容する機能を有する。収容空間１５０は、側壁１３０および底壁１４０により形成されている。収容空間１５０は、開口部１５１を有する。開口部１５１は、トレーシール部１６０の一部において開口している。開口部１５１は、内シール部６０（図１参照）が形成されていることにより、外装袋１０により閉じられる。
【００６０】
トレーシール部１６０は、側壁１３０と連続して形成されている。トレーシール部１６０は、収容部１２０の全周に形成されている。トレーシール部１６０は、主壁１６１およびトレーシール面１６２を有する。
【００６１】
トレーシール面１６２は、主壁１６１と連続して形成されている。トレーシール面１６２は、外装袋１０の内周面と対向している（図２参照）。トレーシール面１６２は、袋内方シール部２２と溶着している（図２参照）。
【００６２】
取手部１７０は、トレー１００が外装袋１０から取り出されるときに、使用者により把持される機能を有する。取手部１７０は、トレー１００のうちの開封部３０に面する箇所に形成されている。取手部１７０は、主壁１６１から開封部３０に向けて突出している。取手部１７０は、取手本体１７１および凸部１７２を有する。
【００６３】
取手本体１７１は、トレーシール部１６０と連続して形成されている。取手本体１７１は、トレーシール面１６２よりも下方向ＺＣ２に位置している。取手本体１７１は、Ｒ部１７１Ａを有する。取手本体１７１は、滑り止め加工が施されている。凸部１７２は、取手本体１７１から上方向ＺＣ１に突出している。
【００６４】
図８〜図１４を参照して、包装体１の作用について説明する。
図８に示されるように、包装体１は、外装袋１０、トレー１００、および内容物２００を有する。内容物２００は、トレー１００の収容部１２０に収容されている。内容物２００は、シューマイを示している。包装体１は、袋外方シール部５０および内シール部６０がシールされた状態で電子レンジを用いて加熱される。内容物２００は、包装体１の加熱にともない、水蒸気が発生する。このため、トレー１００の収容部１２０の内圧が上昇する。
【００６５】
図９および図１０に示されるように、収容部１２０の内圧の上昇にともない、内シール部６０が袋外方シール部５０よりも先に剥離する。
内シール部６０の剥離後、トレー１００の開口部１５１を介して水蒸気が袋内空間２１に排出される。内シール部６０の剥離後においても袋外方シール部５０はシールされている。すなわち、トレー１００および内容物２００は、外装袋１０により密封されている。このため、包装体１の内圧は内シール部６０の剥離後においても上昇する。
【００６６】
図１１および図１２に示されるように、包装体１の内圧の上昇にともない、一例として、第２通蒸促進部５４Ｂが剥離する。このため、袋内空間２１で発生した水蒸気は、剥離した第２通蒸促進部５４Ｂを介して外部へ排出される。なお、一例として、第２通蒸促進部５４Ｂが剥離する状態を示したが、第１通蒸促進部５４Ａ、第３通蒸促進部５４Ｃ、および連続部分５１Ｄ（図２参照）の少なくとも一箇所が剥離することにより、袋内空間２１で発生した水蒸気は外部へ排出される。
【００６７】
包装体１の加熱の終了後、包装体１は、使用者により、第１把持シール部５１、第２把持シール部５２、および第３把持シール部５３の少なくとも一箇所が把持されることにより電子レンジから取り出される。
【００６８】
図１３に示されるように、包装体１が電子レンジから取り出された後、開封部３０は、ノッチ７１およびガイド線７２を介して袋本体部２０から切り離される。
図１４に示されるように、開封部３０が袋本体部２０から切り離された後、トレー１００は、使用者により取手本体１７１が把持された状態で袋本体部２０から取り出される。
【００６９】
包装体１は、以下の効果を奏する。
（１）袋内空間２１の内圧が上昇したとき、包装体１の縁のうち山折部分４１は、外装袋１０を形成するシートの縁どうしが互いにシールされた箇所、すなわち第２側方縁１６、上縁１７、および下縁１８よりも破れにくい。包装体１の外装袋１０は、山折部分４１を有する。山折部分４１は、第３把持シール部５３が形成されている。このため、包装体１は、電子レンジ等で加熱したときに蒸気が抜けない箇所、すなわち高温となりにくい箇所を把持することができる。
【００７０】
（２）包装体１の外装袋１０は、谷折部分４２を有する。谷折部分４２は、山折部分４１よりも外装袋１０の前方向ＺＡ１に形成されている。このため、包装体１は、前後方向ＺＡの寸法を小さくすることができる。
【００７１】
（３）包装体１は、トレー１００を有する。トレー１００は、開口部１５１を有する。開口部１５１は、内シール部６０が形成されていることにより、外装袋１０により閉じられている。包装体１のトレー１００は、外装袋１０の袋内空間２１に収容されている。すなわち、外装袋１０は、開口部１５１を閉じる役割、およびトレー１００を包む役割を有する。このため、包装体１は、開口部１５１を閉じる蓋と、トレー１００を包む袋とが個別に形成される構造と比較して、包装体１を構成する材料の数が削減される。このように、包装体１は、トレー１００から内容物２００が漏れることを抑制し、かつ包装体１を構成する材料の数を削減することができる。
【００７２】
（４）包装体１は、袋外方シール部５０を有する。袋外方シール部５０は、第１把持シール部５１、第２把持シール部５２、第３把持シール部５３、および通蒸シール部５４およびを有する。通蒸シール部５４は、第１把持シール部５１、第２把持シール部５２、第３把持シール部５３よりもシール強度が低い。このため、包装体１は、加熱されることにより袋内空間２１の内圧が上昇したとき、通蒸シール部５４から蒸気を外部へ排出することができる。
【００７３】
（５）包装体１は、トレー１００を有する。トレー１００は、トレーシール部１６０および収容部１２０を有する。トレーシール部１６０は、収容部１２０の全周に形成されている。このため、トレーシール部１６０が収容部１２０の一部分に形成されている構成と比較して、内シール部６０は、より大きなシール面積を有する。このため、包装体１は、トレー１００から内容物２００が漏れることを抑制する効果が高められる。
【００７４】
（６）トレー１００は、内容物２００を収容している。内容物２００は、加熱されることにより水蒸気を発生する。トレー１００は、水蒸気の発生により内圧が上昇する。袋内方シール部２２は、トレー１００の内圧の上昇によりトレーシール部１６０から剥離する。袋内方シール部２２は、内シール部６０のシール強度が高くなるにつれてトレーシール部１６０から剥離しにくくなる。一方、包装体１は、袋内方シール部２２がトレーシール部１６０から剥離するとき、音を発生することがある。この音は、袋内方シール部２２がトレーシール部１６０から剥離するときのトレー１００の内圧が高いときほど大きくなる傾向にある。
【００７５】
包装体１の内シール部６０は、袋外方シール部５０よりも低いシール強度を有する。このため、内シール部６０が袋外方シール部５０よりも高いシール強度を有すると仮定した構成と比較して、袋内方シール部２２がトレーシール部１６０から剥離するときの音が小さくなる。このため、包装体は、袋内方シール部２２がトレーシール部１６０から剥離するときの音により使用者が不快感を覚えるおそれが低くなる。
【００７６】
（７）通蒸シール部５４を介して袋内空間２１の水蒸気が外部へ排出されたとき、通蒸シール部５４は高温となっていることがある。包装体１は、説明表示部８０を有する。説明表示部８０は、第１説明表示部８１を有する。第１説明表示部８１は、外装袋１０のうち、第１把持シール部５１、第２把持シール部５２、および第３把持シール部５３が形成されている箇所を表示している。第１説明表示部８１は、第１把持シール部５１、第２把持シール部５２、および第３把持シール部５３を把持する旨を表示している。このため、包装体１は、使用者が誤って高温の通蒸シール部５４を把持することが抑制される。
【００７７】
（８）包装体１は、通蒸シール部５４を有する。通蒸シール部５４は、第１通蒸促進部５４Ａ、第２通蒸促進部５４Ｂ、および第３通蒸促進部５４Ｃを有する。第１通蒸促進部５４Ａ、第２通蒸促進部５４Ｂ、および第３通蒸促進部５４Ｃは、第１把持シール部５１、第２把持シール部５２、および第３把持シール部５３よりも小さいシール幅を有する。このため、包装体１は、通蒸シール部５４のうち、より第１通蒸促進部５４Ａ〜第３通蒸促進部５４Ｃのシールが剥離しやすくなる。このため、包装体１は、袋内空間２１の内圧が上昇したときに、より適切に蒸気を外部へ排出することができる。
【００７８】
（９）包装体１は通蒸シール部５４を有する。通蒸シール部５４は、第１通蒸促進部５４Ａ、第２通蒸促進部５４Ｂ、および第３通蒸促進部５４Ｃを有する。このため、包装体１は、通蒸促進部が一箇所の構成の包装体と比較して、第１通蒸促進部５４Ａ〜第３通蒸促進部５４Ｃを介してより適切に蒸気を外部へ排出することができる。
【００７９】
（１０）包装体１の外装袋１０は、平面視において長方形状を有する。外装袋１０は、袋本体部２０および開封部３０を有する。開封部３０は、袋本体部２０と連続して形成されている。開封部３０は、外装袋１０の長辺の縁である第２側方縁１６を含む。開封部３０は、袋本体部２０との分離が可能な構造を有する。開封部３０は、袋本体部２０から分離されることにより袋内空間２１を開放する。
【００８０】
包装体１は、外装袋１０の第２側方縁１６含む開封部３０が袋本体部２０と分離されることにより、袋内空間２１が開放される。このため、使用者は、トレー１００を袋内空間２１から外装袋１０の短辺、すなわち上縁１７および下縁１８が延伸する方向に引き出す。このため、包装体１は、開封部３０が上縁１７または下縁１８を含んで形成されている構成、すなわち、袋内空間２１からトレー１００を外装袋１０の長辺である第１側方縁１５および第２側方縁１６が延伸する方向に引き出す構成と比較して、トレー１００が袋内空間２１からとりだされやすくなる。
【００８１】
（１１）包装体１の内シール部６０は、通蒸シール部５４よりも低いシール強度を有する。このため、内シール部６０が通蒸シール部５４よりも高いシール強度を有すると仮定した構成と比較して、袋内方シール部２２がトレーシール部１６０から剥離しやすい。このため、包装体１は、内シール部６０が剥離した後に通蒸シール部５４が剥離する。このため、使用者が外装袋１０からトレー１００を取り出すときに、剥離していない内シール部６０がトレー１００に残ることを抑制できる。
【００８２】
（１２）包装体１の取手部１７０は、トレー１００のうちの開封部３０に面する箇所に形成されている。このため、開封部３０が袋本体部２０から分離されたとき、袋本体部２０に形成された開口部分を介して取手部１７０が露出する。このため、使用者は、取手部１７０をつかみやすい。このため、使用者は簡単にトレー１００を取り出すことができる。よって、包装体１は、使用者が高温の部分に触れることを抑制できる。
【００８３】
（１３）包装体１の取手部１７０は、滑り止め加工が施されているため、使用者の手が取手部１７０に対してすべりにくい。このため、包装体１は、使用者の不快感を軽減する効果が高められる。
【００８４】
（１４）外装袋１０は、内部に発生した水蒸気によりトレー１００と密着することがある。外装袋１０が取手部１７０と密着した場合、使用者は、外装袋１０を取手部１７０から離す必要がある。このため、使用者の手が高温の部分に触れるおそれが高くなる。
【００８５】
包装体１の取手部１７０は、トレーシール面１６２よりも下方の箇所に形成されている。このため、取手部１７０がトレーシール面１６２と同じ高さの箇所、またはトレーシール面１６２よりも上方向ＺＣ１の箇所に形成されていると仮定した場合と比較して、外装袋１０が取手部１７０に密着しにくい。このため、包装体１は、使用者が不快感を覚えるおそれが低減される。
【００８６】
（１５）トレー１００は、内容物２００を収容している。内容物２００は、加熱されることにより水蒸気を発生する。発生した水蒸気は、外装袋１０の底部に溜まる。このため、外装袋１０の底部およびトレー１００の底壁１４０が水分により密着することがある。外装袋１０の底部およびトレー１００の底壁１４０が密着している場合、トレー１００が外装袋１０から取り出しにくくなる。
【００８７】
トレー１００の底壁１４０は、外側凹凸加工部１４３を有する。このため、外装袋１０の底部に水分が存在しているとき、外装袋１０の底部およびトレー１００の底壁１４０が密着しにくい。このため、包装体１は、外装袋１０からトレー１００が取り出しにくくなるおそれが低減される。
【００８８】
（１６）包装体１は、特開２０１１−２４０９５４号公報が開示する包装体（以下、「比較包装体」と称する）に対して有利な効果を有する。比較包装体は、トレーおよびトレーシールを有する。トレーは、内容物を収容する形状を有する。トレーは開口を有する。トレーシールは、トレーの開口をシールしている。
【００８９】
第１比較包装体は、商品の説明等を記載できる範囲が、トレーシールの面積に限定されている。すなわち、第１比較包装体は、トレーの開口が形成されている範囲以上に商品の説明等を記載することが難しい。
【００９０】
一方、包装体１は、外装袋１０を有する。外装袋１０は、印刷層を有する。外装袋１０は、開口部１５１を閉じる役割、およびトレー１００を包む役割を有する。このため、包装体１は、開口部１５１を閉じることができ、かつ開口部１５１が形成されている範囲よりも広い範囲に商品の説明等を記載することができる。
【００９１】
（１７）包装体１は、特開平１１−１３９４６５号公報が開示する包装体３００に対して有利な効果を有する。図１５および図１６に示されるように、包装体３００は、外装袋３１０およびトレー３２０を有する。外装袋３１０は、トレー３２０を密封する構造を有する。トレー３２０は、内容物を収容する構造を有する。トレー３２０は、周壁の一部において開口している。外装袋３１０は、トレー３２０の開口を密封することなくトレーを収容する。このため、包装体３００は、内容物がトレー３２０から外装袋３１０の袋内空間に漏れ出すおそれがある。
【００９２】
一方、包装体１の外装袋１０は、開口部１５１を閉じる役割、およびトレー１００を包む役割を有する。このため、包装体１は、包装体１を構成する材料の数を削減し、かつトレー１００から内容物２００が漏れることを抑制できる。
【００９３】
本包装体は、上記実施形態とは別の実施形態を含む。以下、その他の実施形態としての上記実施形態の変形例を示す。なお、以下の各変形例は、技術的に矛盾しない範囲において互いに組み合わせることができる。
【００９４】
・実施形態の包装体１の通蒸シール部５４は、第４シール幅ＸＤを有する。第４シール幅ＸＤは、第１シール幅ＸＡ、第２シール幅ＸＢ、および第３シール幅ＸＣと等しい。ただし、通蒸シール部５４の構成は、実施形態に例示された内容に限られない。例えば、変形例の通蒸シール部は、第１シール幅ＸＡ、第２シール幅ＸＢ、および第３シール幅ＸＣよりも小さいシール幅を有する。
【００９５】
・実施形態の包装体１は、通蒸シール部５４を有する。通蒸シール部５４は、第１通蒸促進部５４Ａ、第２通蒸促進部５４Ｂ、および第３通蒸促進部５４Ｃを有する。ただし、通蒸シール部５４の構成は、実施形態に例示された内容に限られない。例えば、変形例の通蒸シール部は、第１通蒸促進部５４Ａ、第２通蒸促進部５４Ｂ、および第３通蒸促進部５４Ｃの少なくとも一つが省略された構成を有する。
【００９６】
・実施形態の包装体１は、内シール部６０を有する。ただし、包装体１の構成は、実施形態に例示された内容に限定されない。変形例の包装体は、内シール部６０が省略されている。
【００９７】
・実施形態の包装体１は、トレー１００を有する。トレー１００は、トレーシール部１６０を有する。トレーシール部１６０は、収容部１２０の全周に形成されている。ただし、トレーシール部１６０の構成は、実施形態に例示された内容に限られない。例えば、変形例の包装体のトレーシール部は、収容部１２０の一部に形成されている。この構成によれば、トレーシール部が形成されていない部分よりも大きな内容物を収容したときに、トレー１００から内容物２００が漏れることを抑制できる。
【００９８】
・実施形態の包装体１は、取手部１７０を有する。取手部１７０は、トレー１００のうちの開封部３０に面する箇所に形成されている。取手部１７０は、主壁１６１から開封部３０に突出している。ただし、取手部１７０の形状は、実施形態に例示された内容に限られない。例えば、変形例の取手部は、側壁１３０から開封部３０に向けて突出している。
【００９９】
また、変形例の取手部は、主壁１６１および側壁１３０の少なくとも一方から開封部３０に向かうにつれて下方向ＺＣ２に傾斜している。このため、変形例の取手部は、取手部１７０が傾斜していないと仮定した構成、または取手部１７０が開封部３０に向かうにつれて上方向ＺＣ１に傾斜していると仮定した構成と比較して、外装袋１０が取手部１７０の先端部に密着しにくい。このため、包装体１は、使用者が不快感を覚えるおそれが低減される。
【０１００】
・実施形態の取手部１７０は、トレーシール面１６２よりも下方向ＺＣ２に形成されている。ただし、取手部１７０の形成される位置は、実施形態に例示された内容に限られない。例えば、変形例の取手部は、トレーシール面１６２と同一平面上またはトレーシール面１６２よりも上方向ＺＣ１に形成されている。
【０１０１】
・実施形態の袋外方シール部５０は、第１把持シール部５１、第２把持シール部５２、および第３把持シール部５３を有する。第１把持シール部５１、第２把持シール部５２、および第３把持シール部５３は、２０Ｎ／１５ｍｍのシール強度を有する。ただし、第１把持シール部５１、第２把持シール部５２、および第３把持シール部５３のシール強度は、実施形態に例示された内容に限られない。例えば、変形例の第１把持シール部、第２把持シール部、および第３把持シール部のシール強度は、内容物２００の種類等に応じて、通蒸シール部５４よりも高いシール強度から適宜選択される。なお、第１把持シール部５１、第２把持シール部５２、および第３把持シール部５３のシール強度は、２０Ｎ／１５ｍｍ以上〜２３Ｎ／１５ｍｍ以下のシール強度であることが好ましい。
【０１０２】
・実施形態の袋外方シール部５０は、通蒸シール部５４を有する。通蒸シール部５４は、１５Ｎ／１５ｍｍのシール強度を有する。ただし、通蒸シール部５４のシール強度は、実施形態に例示された内容に限られない。例えば、変形例の通蒸シール部のシール強度は、内容物２００の種類等に応じて、第１把持シール部５１、第２把持シール部５２、および第３把持シール部５３よりも低いシール強度から適宜選択される。なお、通蒸シール部５４のシール強度は、１１Ｎ／１５ｍｍ以上〜１８Ｎ／１５ｍｍ以下のシール強度であることが好ましい。
【０１０３】
・実施形態の内シール部６０は、６Ｎ／１５ｍｍのシール強度を有する。ただし、内シール部６０のシール強度は、実施形態に例示された内容に限られない。例えば、変形例の内シール部のシール強度は、内容物２００の種類等に応じて、適宜選択される。なお、内シール部６０のシール強度は、６Ｎ／１５ｍｍ以上〜１０Ｎ／１５ｍｍ以下であることが好ましい。
【０１０４】
・実施形態の外装袋１０の最外層は、ポリエチレンテレフタレート層により形成されている。ただし、外装袋１０の最外層を形成する材料は、実施形態に例示された内容に限られない。例えば、変形例の外装袋の最外層は、透明蒸着ポリエチレンテレフタレートフィルム層により形成されている。
【符号の説明】
【０１０５】
１…包装体、１０…外装袋、１１…第１角部、１２…第２角部、１３…第３角部、１４…第４角部、１５…第１側方縁、１６…第２側方縁、１７…上縁、１８…下縁、２０…袋本体部、２１…袋内空間、２２…袋内方シール部、３０…開封部、４０…把持形成部、４１…山折部分、４２…谷折部分、５０…袋外方シール部、５１…第１把持シール部、５１Ａ…本体シール部、５１Ｂ…山折部分側方シール部、５１Ｃ…谷折部分側方シール部、５１Ｄ…連続部分、５２…第２把持シール部、５３…第３把持シール部、５４…通蒸シール部、５４Ａ…第１通蒸促進部、５４Ｂ…第２通蒸促進部、５４Ｃ…第３通蒸促進部、６０…内シール部、７０…切断補助部、７１…ノッチ、７２…ガイド線、８０…説明表示部、８１…第１説明表示部、８２…第２説明表示部、８３…第３説明表示部、１００…トレー、１１０…トレー本体部、１２０…収容部、１３０…側壁、１４０…底壁、１４１…底壁本体、１４２…内側ローレット加工部、１４２Ａ…凸部、１４３…外側ローレット加工部、１４３Ａ…凹部、１５０…収容空間、１５１…開口部、１６０…トレーシール部、１６１…主壁、１６２…トレーシール面、１７０…取手部、１７１…取手本体、１７１Ａ…Ｒ部、１７２…凸部、２００…内容物、３００…包装体、３１０…外装袋、３１１…袋本体部、３１１Ａ…袋内空間、３１２…開封部、３１２Ａ…通蒸部。
【図１】
2014208538.tif 000003
【図２】
2014208538.tif 000004
【図３】
2014208538.tif 000005
【図４】
2014208538.tif 000006
【図５】
2014208538.tif 000007
【図６】
2014208538.tif 000008
【図７】
2014208538.tif 000009
【図８】
2014208538.tif 000010
【図９】
2014208538.tif 000011
【図１０】
2014208538.tif 000012
【図１１】
2014208538.tif 000013
【図１２】
2014208538.tif 000014
【図１３】
2014208538.tif 000015
【図１４】
2014208538.tif 000016
【図１５】
2014208538.tif 000017
【図１６】
2014208538.tif 000018